(57)【要約】【課題】複数のＲＡＷ動画について、再エクスポートや、パラメータの変更を効率よく行えるようにする技術を提供する。【解決手段】本発明の情報処理装置は、ＲＡＷ動画の現像を含むエクスポートのためのパラメータを設定する設定手段と、前記設定手段により設定されたパラメータを用いてエクスポートを行うエクスポート手段と、前記エクスポート手段によるエクスポートが行われたＲＡＷ動画の一覧を表示するように制御する制御手段と、再エクスポートを行うＲＡＷ動画を前記一覧からユーザ操作に応じて選択する選択手段と、を有し、前記エクスポート手段は、前記選択手段により選択されたＲＡＷ動画と、エクスポートに用いられたパラメータが前記選択されたＲＡＷ動画と一致するＲＡＷ動画とについて、再エクスポートを一括で行うことを特徴とする。【選択図】図４
2020178214.tif 000002
【特許請求の範囲】
【請求項１】
ＲＡＷ動画の現像を含むエクスポートのためのパラメータを設定する設定手段と、
前記設定手段により設定されたパラメータを用いてエクスポートを行うエクスポート手段と、
前記エクスポート手段によるエクスポートが行われたＲＡＷ動画の一覧を表示するように制御する制御手段と、
再エクスポートを行うＲＡＷ動画を前記一覧からユーザ操作に応じて選択する選択手段と、
を有し、
前記エクスポート手段は、前記選択手段により選択されたＲＡＷ動画と、エクスポートに用いられたパラメータが前記選択されたＲＡＷ動画と一致するＲＡＷ動画とについて、再エクスポートを一括で行う
ことを特徴とする情報処理装置。
【請求項２】
前記パラメータは、エクスポートにより保存される動画の保存先、ファイル形式、または、解像度である
ことを特徴とする請求項１に記載の情報処理装置。
【請求項３】
前記設定手段は複数のパラメータを設定し、
前記エクスポート手段は、前記選択されたＲＡＷ動画と、エクスポートに用いられた複数のパラメータが前記選択されたＲＡＷ動画と一致するＲＡＷ動画とについて、再エクスポートを一括で行う
ことを特徴とする請求項１または２に記載の情報処理装置。
【請求項４】
前記設定手段は複数のパラメータを設定し、
前記エクスポート手段は、前記選択されたＲＡＷ動画と、エクスポートに用いられた複数のパラメータの一部が前記選択されたＲＡＷ動画と一致するＲＡＷ動画とについて、再エクスポートを一括で行う
ことを特徴とする請求項１または２に記載の情報処理装置。
【請求項５】
前記設定手段は複数のパラメータを設定し、
前記エクスポート手段は、前記選択されたＲＡＷ動画と、エクスポートに用いられた複数のパラメータの一部または全部である特定種別のパラメータが前記選択されたＲＡＷ動画と一致するＲＡＷ動画とについて、再エクスポートを一括で行う
ことを特徴とする請求項１または２に記載の情報処理装置。
【請求項６】
前記特定種別は、ユーザにより指定された種別である
ことを特徴とする請求項５に記載の情報処理装置。
【請求項７】
前記選択手段により複数のＲＡＷ動画が選択された場合における前記特定種別のパラメータは、前記複数のＲＡＷ動画の間で共通してエクスポートに用いられたパラメータである
ことを特徴とする請求項５に記載の情報処理装置。
【請求項８】
前記選択されたＲＡＷ動画についてのエクスポートに用いられたパラメータが、再エクスポートのために前記設定手段により設定されたパラメータと一致する場合に、前記エクスポート手段は再エクスポートを行わない
ことを特徴とする請求項１〜７のいずれか１項に記載の情報処理装置。
【請求項９】
前記選択されたＲＡＷ動画についてのエクスポートに用いられたパラメータが、再エクスポートのために前記設定手段により設定されたパラメータと一致する場合に、所定の通知を行うように制御する通知制御手段、
をさらに有する
ことを特徴とする請求項１〜８のいずれか１項に記載の情報処理装置。
【請求項１０】
エクスポートに用いられたパラメータが前記選択されたＲＡＷ動画と一致するＲＡＷ動画についての再エクスポートを行うか否かをユーザに問い合わせるように制御する問い合わせ制御手段、
をさらに有する
ことを特徴とする請求項１〜９のいずれか１項に記載の情報処理装置。
【請求項１１】
ＲＡＷ動画の現像を含むエクスポートのためのパラメータをＲＡＷ動画に対して設定する設定手段と、
エクスポートを行うＲＡＷ動画の一覧を表示するように制御する制御手段と、
前記設定手段により設定されたパラメータを変更するＲＡＷ動画を前記一覧からユーザ操作に応じて選択する選択手段と、
前記設定手段により設定されたパラメータを用いてエクスポートを行うエクスポート手段と、
を有し、
前記設定手段は、前記選択手段により選択されたＲＡＷ動画と、設定したパラメータが前記選択されたＲＡＷ動画と一致するＲＡＷ動画とについて、設定したパラメータを一括で変更する
ことを特徴とする情報処理装置。
【請求項１２】
ＲＡＷ動画の現像を含むエクスポートのためのパラメータを設定する設定ステップと、
前記設定ステップにおいて設定されたパラメータを用いてエクスポートを行うエクスポートステップと、
前記エクスポートステップにおけるエクスポートが行われたＲＡＷ動画の一覧を表示するように制御する制御ステップと、
再エクスポートを行うＲＡＷ動画を前記一覧からユーザ操作に応じて選択する選択ステップと、
を有し、
前記エクスポートステップでは、前記選択ステップにおいて選択されたＲＡＷ動画と、エクスポートに用いられたパラメータが前記選択されたＲＡＷ動画と一致するＲＡＷ動画とについて、再エクスポートを一括で行う
ことを特徴とする情報処理方法。
【請求項１３】
ＲＡＷ動画の現像を含むエクスポートのためのパラメータをＲＡＷ動画に対して設定する設定ステップと、
エクスポートを行うＲＡＷ動画の一覧を表示するように制御する制御ステップと、
前記設定ステップにおいて設定されたパラメータを変更するＲＡＷ動画を前記一覧からユーザ操作に応じて選択する選択ステップと、
前記設定ステップにおいて設定されたパラメータを用いてエクスポートを行うエクスポートステップと、
を有し、
前記設定ステップでは、前記選択ステップにおいて選択されたＲＡＷ動画と、設定したパラメータが前記選択されたＲＡＷ動画と一致するＲＡＷ動画とについて、設定したパラメータを一括で変更する
ことを特徴とする情報処理方法。
【請求項１４】
コンピュータを、請求項１〜１１のいずれか１項に記載の情報処理装置の各手段として機能させるためのプログラム。
【請求項１５】
コンピュータを、請求項１〜１１のいずれか１項に記載の情報処理装置の各手段として機能させるためのプログラムを格納したコンピュータが読み取り可能な記憶媒体。
【発明の詳細な説明】
【技術分野】
【０００１】
本発明は、撮像装置により撮影されたＲＡＷ動画の現像を行う情報処理装置に関する。
【背景技術】
【０００２】
近年、画像制作の分野において、ＲＡＷ動画（ＲＡＷ形式の動画）を撮影可能な撮像装置（デジタルビデオカメラなど）が注目されている。ＲＡＷ動画には、各フレームの情報（画像）として、撮像装置のイメージセンサーから取得された情報がそのまま（例えば画像処理が施されずに）記録されている。このため、ＲＡＷ動画には、「撮影後に情報処理装置（ＰＣ（Ｐｅｒｓｏｎａｌ  Ｃｏｍｐｕｔｅｒ）など）で現像（現像処理）を行うことで画質を自由に調整できる」という特徴がある。現像により、ＲＡＷ動画は、ＤＰＸ（Ｄｉｇｉｔａｌ  Ｐｉｃｔｕｒｅ  Ｅｘｃｈａｎｇｅ）などの一般的なファイル形式（ファイルフォーマット）の動画に変換される。ＲＡＷ動画のファイル形式を変換し（現像）、変換後（現像後）の動画を保存する処理は、「エクスポート」などと呼ばれる。
【０００３】
カラーグレーディングシステムで動画を扱う場合には、一般的に、ＲＡＷ動画が、画質を優先としたファイル形式（例えば、ＲＧＢ非圧縮形式）の動画に変換され、変換後の動画を用いてカラーグレーディングが行われる。以後、画質を優先とした設定による現像を「素材現像」と呼び、素材現像後の動画を「素材動画」と呼ぶ。
【０００４】
一方、カット編集などの他の編集作業では、高画質の動画を必要としない場合が多い。このため、他の編集システムで動画を扱う場合には、一般的に、ＲＡＷ動画が、縮小や圧縮などの処理により、比較的データサイズの小さい動画に変換され、変換後の動画を用いて編集作業が行われる。以後、画質を優先しない設定による現像を「プロキシ現像」と呼び、プロキシ現像後の動画を「プロキシ動画」と呼ぶ。
【０００５】
カット編集により、最終的に使用する動画の区間がプロキシ動画を用いて決定される。そして、決定された区間のタイムコード情報が記述されたＥＤＬ（Ｅｄｉｔ  Ｄｅｃｉｓｉｏｎ  Ｌｉｓｔ）が、カット編集の編集システムから出力される。その後、カラーグレーディングシステムにＥＤＬと素材動画が読み込まれ、ＥＤＬで指定された区間に対する最終的な色調整などが素材動画を用いて行われる。このように、カット編集とカラーグレーディングを行うワークフローなどでは、ＲＡＷ動画から素材動画とプロキシ動画の２種類の動画が生成されて使用される。
【０００６】
一般的に、現像の処理負荷（処理時間）は大きく、動画の内容やシーン毎に現像パラメータを決定する作業が必要である。現像の処理負荷や作業時間を削減するための技術は、例えば、特許文献１に開示されている。特許文献１に開示の画像処理装置は、複数の現像パラメータに対応する複数の現像結果（現像後の動画）を予め保存しておき、ユーザによって指定された現像パラメータでの現像が実行済みである場合に、指定された現像パラメータに対応する現像結果を表示する。
【先行技術文献】
【特許文献】
【０００７】
【特許文献１】特開２０１１−１００９０号公報
【発明の概要】
【発明が解決しようとする課題】
【０００８】
ここで、特定の現像パラメータで現像が行われた複数のＲＡＷ動画について、現像パラ
メータを変更して現像（エクスポート）を再度行いたいことがある。例えば、素材動画が生成された複数のＲＡＷ動画についてプロキシ動画を生成したいことがある。このような場合には、ユーザは、特定の現像パラメータで現像が行われた複数のＲＡＷ動画を特定する必要がある。しかし、現像済みのＲＡＷ動画が多い場合や、１回の現像に用いられる現像パラメータ群（複数の現像パラメータの組み合わせ）が多岐に亘る場合などにおいて、ユーザは、所望のＲＡＷ動画を容易に特定できず、再エクスポートを効率よく行えない。現像前にも、特定の現像パラメータが設定された複数のＲＡＷ動画について現像パラメータを変更する場合には、同様の課題が生じる。
【０００９】
本発明は、複数のＲＡＷ動画について、再エクスポートや、パラメータの変更を効率よく行えるようにする技術を提供することを目的とする。
【課題を解決するための手段】
【００１０】
本発明の情報処理装置は、ＲＡＷ動画の現像を含むエクスポートのためのパラメータを設定する設定手段と、前記設定手段により設定されたパラメータを用いてエクスポートを行うエクスポート手段と、前記エクスポート手段によるエクスポートが行われたＲＡＷ動画の一覧を表示するように制御する制御手段と、再エクスポートを行うＲＡＷ動画を前記一覧からユーザ操作に応じて選択する選択手段と、を有し、前記エクスポート手段は、前記選択手段により選択されたＲＡＷ動画と、エクスポートに用いられたパラメータが前記選択されたＲＡＷ動画と一致するＲＡＷ動画とについて、再エクスポートを一括で行うことを特徴とする。
【発明の効果】
【００１１】
本発明によれば、複数のＲＡＷ動画について、再エクスポートや、パラメータの変更を効率よく行えるようになる。
【図面の簡単な説明】
【００１２】
【図１】実施例１に係る情報処理装置の構成例を示すブロック図である。
【図２】実施例１に係る画面の一例を示す図である。
【図３】実施例１に係る画面の一例を示す図である。
【図４】実施例１に係る動作例を示すフローチャートである。
【図５】実施例１に係る画面の一例を示す図である。
【図６】実施例１に係る画面の一例を示す図である。
【図７】実施例１に係る動作例を示すフローチャートである。
【図８】実施例１に係る画面の一例を示す図である。
【発明を実施するための形態】
【００１３】
以下に、本発明の実施例について説明する。以下の実施例に係る情報処理装置は、動画のエクスポートを行う装置であり、例えばＰＣ（Ｐｅｒｓｏｎａｌ  Ｃｏｍｐｕｔｅｒ）などである。以下の実施例において、エクスポートは、ＲＡＷ動画（ＲＡＷ形式の動画）の現像を含む処理であり、具体的には、ＲＡＷ動画のファイル形式（ファイルフォーマット）を変換し（現像）、変換後（現像後）の動画を保存する処理である。
【００１４】
＜実施例１＞
本発明の実施例１について説明する。図１は、実施例１に係るＰＣ１００（情報処理装置）の構成例を示すブロック図である。ＰＣ１００は、ＣＰＵ１０１、ＲＯＭ１０２、ＲＡＭ１０３、ＨＤＤ１０４、外部ＩＦ１０５、ユーザＩＦ１０６、ＶＲＡＭ１０７、画像処理部１０８、表示制御部１０９、及び、内部バス１１５を有する。
【００１５】
ＣＰＵ１０１はＰＣ１００の全体的な制御を行う。ＲＯＭ１０２は、ＣＰＵ１０１の処
理手順を記述した制御プログラムを格納するためのメモリである。ＲＡＭ１０３は、一時的に制御プログラムやデータが格納されるワークメモリとして用いられる。ＨＤＤ１０４は、アプリケーションやＯＳ（Ｏｐｅｒａｔｉｎｇ  Ｓｙｓｔｅｍ）などの各種プログラムと各種データを格納するためのハードディスクドライブである。外部ＩＦ１０５は、外部の記憶媒体１１１（フラッシュメモリカード１５０や外付けハードディスク１６０など）にＰＣ１００を接続するためのインタフェースである。ユーザＩＦ１０６は、ＰＣ１００に対するユーザ操作を受け付ける。具体的には、ユーザＩＦ１０６は、入力デバイス１１２（マウス１１３やキーボード１１４など）を用いたユーザ操作に応じて入力デバイス１１２から出力された操作情報を処理する。なお、ＰＣ１００と入力デバイス１１２が一体的に構成されてもよい（入力デバイス１１２がＰＣ１００の一部であってもよい）。ＶＲＡＭ１０７は、ＰＣ１００がディスプレイ１１０（液晶ディスプレイなど）に表示する画像を格納するためのメモリである。なお、ＰＣ１００とディスプレイ１１０が一体的に構成されてもよい（ディスプレイ１１０がＰＣ１００の一部であってもよい）。画像処理部１０８は、エクスポートなどの各種画像処理を行う。表示制御部１０９は、ＶＲＡＭ１０７に格納された画像をディスプレイ１１０に表示する。内部バス１１５は、各種信号（制御信号など）や各種データ（画像データなど）の伝送路である。ＣＰＵ１０１、ＲＯＭ１０２、ＲＡＭ１０３、ＨＤＤ１０４、外部ＩＦ１０５、ユーザＩＦ１０６、ＶＲＡＭ１０７、画像処理部１０８、及び、表示制御部１０９は、内部バス１１５に接続されいる。そして、それらの間での各種信号や各種データなどの送受信は、内部バス１１５を介して行われる。実施例１では、ＨＤＤ１０４にＲＡＷ動画が格納されているものとする。なお、記憶媒体１１１にＲＡＷ動画が格納されていてもよい。
【００１６】
実施例１に係るエクスポートのためのアプリケーションについて、図２（Ａ），２（Ｂ），３（Ａ），３（Ｂ）を用いて説明する。
【００１７】
図２（Ａ）は、エクスポートのためのアプリケーションの基本画面２００の一例を示す。ＣＰＵ１０１がエクスポートのアプリケーションを起動してＶＲＡＭ１０７や表示制御部１０９などを制御することにより、基本画面２００がディスプレイ１１０に表示される。基本画面２００の動画一覧表示エリア２１０には、ＨＤＤ１０４などに格納されているＲＡＷ動画の一覧が表示される。動画一覧表示エリア２１０における「ＡＡＡＡ」、「ＢＢＢＢ」、「ＣＣＣＣ」、及び、「ＤＤＤＤ」のそれぞれはＲＡＷ動画の名称である。ユーザによって選択（指定）されたＲＡＷ動画は、再生されて、プレビューエリア２２０に表示される。再生コントロール部２３０は、プレビューエリア２２０に表示中のＲＡＷ動画の再生制御（通常再生、コマ送り、コマ戻し、等）を行うためのユーザ操作を受け付ける部分である。現像パラメータ設定部２４０は、明るさ、色温度、シャープネス、色空間、ガンマ、高速現像設定（高速現像の有効／無効）、等の現像パラメータを設定（指定）するためのユーザ操作を受け付ける部分である。エクスポート設定ダイアログ表示ボタン２５１は、エクスポート設定ダイアログを表示するためのボタンである。エクスポート設定ダイアログは、エクスポートに関する他のパラメータを設定（指定）するためのダイアログである。エクスポートキュー追加ボタン２５２は、選択中のＲＡＷ動画をエクスポートキュー（エクスポート用のキュー）に追加するためのボタンである。エクスポート開始ボタン２５３は、エクスポートキューにあるＲＡＷ動画についてのエクスポートを開始するためのボタンである。
【００１８】
図２（Ｂ）は、エクスポート設定ダイアログ２６０の一例を示す。図２（Ａ）のエクスポート設定ダイアログ表示ボタン２５１が押下されると、ＣＰＵ１０１がＶＲＡＭ１０７や表示制御部１０９などを制御することにより、エクスポート設定ダイアログ２６０がディスプレイ１１０に表示される。保存先フォルダ設定部２６１は、エクスポートにより保存される動画（動画ファイル）の保存先フォルダを設定（指定）するためのユーザ操作を受け付ける部分である。エクスポートファイル形式設定部２６２は、エクスポートにより
保存される動画（現像により生成される動画）のファイル形式を設定（指定）するためのユーザ操作を受け付ける部分である。以後、エクスポートにより保存される動画（現像により生成される動画）のファイル形式を「出力形式」と記載する。出力解像度設定部２６３は、エクスポートにより保存される動画の解像度を設定（指定）するためのユーザ操作を受け付ける部分である。以後、エクスポートにより保存される動画の解像度を「出力解像度」と記載する。
【００１９】
図３（Ａ）は、エクスポートキューにあるＲＡＷ動画の情報や、エクスポートの進捗を表示するエクスポートキューウインドウ３００の一例を示す。例えば、図２（Ａ）のエクスポートキュー追加ボタン２５２が押下されると、ＣＰＵ１０１は、エクスポートのためのパラメータを選択中のＲＡＷ動画に対して設定し、選択中のＲＡＷ動画をエクスポートキューに追加する。具体的には、図２（Ａ）の現像パラメータ設定部２４０と、図２（Ｂ）の保存先フォルダ設定部２６１、エクスポートファイル形式設定部２６２、及び、出力解像度設定部２６３とで指定中の複数のパラメータが設定される。そして、ＣＰＵ１０１がＶＲＡＭ１０７や表示制御部１０９などを制御することにより、エクスポートキューウインドウ３００がディスプレイ１１０に表示される。なお、エクスポートキューウインドウ３００が既に表示されている場合には、ＣＰＵ１０１は、エクスポートキューに追加されたＲＡＷ動画の情報を表示中のエクスポートキューウインドウ３００に追加する。
【００２０】
エクスポート内容表示部３０１には、エクスポートキューにあるＲＡＷ動画（エクスポートを行うＲＡＷ動画）の一覧が表示される。エクスポート内容表示部３０１に表示された一覧では、ＲＡＷ動画の名称、エクスポートの進捗、及び、エクスポートのパラメータ（保存先フォルダ、出力形式、出力解像度、現像設定（現像パラメータ）、等）が、各ＲＡＷ動画について表示される。図３（Ａ）の例では、ＲＡＷ動画ＡＡＡＡ，ＢＢＢＢ，ＣＣＣＣがエクスポートキューにある。そして、現像設定として、明るさ、色温度、シャープネス、色空間、ガンマ、及び、高速現像設定がその順番で表示されている。エクスポート内容表示部３０１に表示された一覧の各行が１つのタスクとなっており、図３（Ａ）の例では、エクスポートキューに３つのタスクが存在している。エクスポート進捗表示部３０２には、エクスポート全体の進捗（未実行のタスクの数、エクスポートが完了するまでの残り時間、等）が表示される。図２（Ａ）のエクスポート開始ボタン２５３が押下されると、ＣＰＵ１０１が画像処理部１０８を制御することにより、設定されたパラメータを用いたエクスポート（エクスポートキューに存在するタスクの実行）が開始する。そして、ＣＰＵ１０１は、エクスポートの進捗に応じて、エクスポート進捗表示部３０２の表示と、エクスポート内容表示部３０１で示された進捗の表示とを順次更新する。
【００２１】
図３（Ｂ）は、エクスポート結果を表示するエクスポート結果ウインドウ３１０の一例を示す。例えば、エクスポートが完了すると、ＣＰＵ１０１がＶＲＡＭ１０７や表示制御部１０９などを制御することにより、エクスポート結果ウインドウ３１０がディスプレイ１１０に表示される。エクスポート結果表示部３１１には、エクスポートが行われたＲＡＷ動画の一覧が表示される。エクスポート結果表示部３１１に表示された一覧では、ＲＡＷ動画の名称と、エクスポートのパラメータ（保存先フォルダ、出力形式、出力解像度、現像設定、等）とが、各ＲＡＷ動画について表示される。図３（Ｂ）の例では、エクスポートの実行履歴として、ＲＡＷ動画ＥＥＥＥ，ＦＦＦＦ，・・・，ＺＺＺＺについてエクスポートが実行済みであることが表示されている。
【００２２】
ＰＣ１００は、エクスポート済みのＲＡＷ動画について、エクスポートを再度行うことができる。図４は、再エクスポートを行う場合のＰＣ１００（エクスポートのためのアプリケーション）の動作例を示すフローチャートである。図４の動作は、例えば、図３（Ｂ）のエクスポート結果ウインドウ３１０の表示に応じて開始する。
【００２３】
ステップＳ４０１では、ＣＰＵ１０１は、エクスポート済みの特定のＲＡＷ動画についての再エクスポートがユーザによって指示されたか否かを判定する。ＣＰＵ１０１は、再エクスポートの指示（ユーザ操作）があるまでステップＳ４０１の処理を繰り返す。そして、再エクスポートの指示があると、当該指示に応じて特定のＲＡＷ動画を選択し、ステップＳ４０２へ処理を進める。また、ＣＰＵ１０１は、再エクスポートのためのパラメータを設定する。具体的には、図２（Ａ）の現像パラメータ設定部２４０と、図２（Ｂ）の保存先フォルダ設定部２６１、エクスポートファイル形式設定部２６２、及び、出力解像度設定部２６３とで指定中の複数のパラメータが設定される。
【００２４】
図５（Ａ）は、エクスポート結果ウインドウ３１０の一例を示す。図５（Ａ）に示すように、ＣＰＵ１０１は、エクスポート結果表示部３１１（エクスポート済みのＲＡＷ動画の一覧）から特定のＲＡＷ動画を指定するユーザ操作に応じて、コンテキストメニュー５１３を表示する。コンテキストメニュー５１３は、特定のＲＡＷ動画（ユーザによって指定されたＲＡＷ動画）についての再エクスポートを行うか否かをユーザに問い合わせるメニューである。再エクスポートの指示は、コンテキストメニュー５１３の「再現像」を指定するユーザ操作である。ここでは、ＲＡＷ動画ＫＫＫＫについての再エクスポートが指示されたとする。
【００２５】
ステップＳ４０２では、ＣＰＵ１０１は、特定のＲＡＷ動画（ステップＳ４０１で選択したＲＡＷ動画；再エクスポートの指示（ユーザ操作）があったＲＡＷ動画）について、過去のエクスポートに用いられたパラメータを取得する。具体的には、ＣＰＵ１０１は、図５（Ａ）のエクスポート結果表示部３１１においてＲＡＷ動画ＫＫＫＫに関連付けて表示されたパラメータ（保存先フォルダ、出力形式、出力解像度、及び、現像設定）を取得する。
【００２６】
ステップＳ４０３では、ＣＰＵ１０１は、再エクスポートのために設定された現在のパラメータを取得する。具体的には、図２（Ａ）の現像パラメータ設定部２４０と、図２（Ｂ）の保存先フォルダ設定部２６１、エクスポートファイル形式設定部２６２、及び、出力解像度設定部２６３とで指定中の複数のパラメータが取得される。すなわち、指定中の明るさ、色温度、シャープネス、色空間、ガンマ、高速現像設定、保存先フォルダ、出力形式、及び、出力解像度が取得される。
【００２７】
ステップＳ４０４では、ＣＰＵ１０１は、ステップＳ４０２で取得したパラメータと、ステップＳ４０３で取得したパラメータとを比較し、それらが互いに異なるか否かを判定する。具体的には、複数のパラメータの複数の種別に、ステップＳ４０２で取得されたパラメータとステップＳ４０３で取得されたパラメータとが互いに異なる種別が存在するか否かが判定される。存在する場合はステップＳ４０５へ進み、存在しない場合（ステップＳ４０２で取得された複数のパラメータが、ステップＳ４０３で取得された複数のパラメータと完全に一致する場合）はステップＳ４１１へ進む。
【００２８】
ステップＳ４１１では、ＣＰＵ１０１は、所定の通知を行う（通知制御）。具体的には、ＣＰＵ１０１は、過去と同一のパラメータで再エクスポートを行おうとしている旨のメッセージ（警告）をディスプレイ１１０に表示して、ユーザに通知する。そして、ＣＰＵ１０１は、再エクスポートを行わずに、図４の動作を終了する。
【００２９】
ステップＳ４０５では、ＣＰＵ１０１は、図５（Ａ）のエクスポート結果表示部３１１（エクスポート済みのＲＡＷ動画の一覧）において、ステップＳ４０１で選択したＲＡＷ動画とは異なる他のＲＡＷ動画が存在するか否かを判定する。存在する場合はステップＳ４０６へ進み、存在しない場合はステップＳ４１０へ進む。
【００３０】
ステップＳ４０６では、ＣＰＵ１０１は、ステップＳ４０５において存在すると判定された全てのＲＡＷ動画について、過去のエクスポートに用いられたパラメータを取得する。そして、ＣＰＵ１０１は、ステップＳ４０５において存在すると判定され、且つ、過去のエクスポートに用いられたパラメータがステップＳ４０２で取得したパラメータと一致するＲＡＷ動画が存在するか否かを判定する。存在する場合はステップＳ４０７へ進み、存在しない場合はステップＳ４１０へ進む。
【００３１】
なお、ステップＳ４０６で検出されるＲＡＷ動画は、過去のエクスポートに用いられた複数のパラメータの全てが特定のＲＡＷ動画（ステップＳ４０１で選択したＲＡＷ動画）と一致するＲＡＷ動画であってもよいし、そうでなくてもよい。ステップＳ４０６で検出されるＲＡＷ動画は、過去のエクスポートに用いられた複数のパラメータの一部が特定のＲＡＷ動画と一致するＲＡＷ動画であってもよい。ステップＳ４０６で検出されるＲＡＷ動画は、過去のエクスポートの出力形式のみが特定のＲＡＷ動画と一致するＲＡＷ動画であってもよい。ステップＳ４０６で検出されるＲＡＷ動画は、過去のエクスポートに用いられた複数のパラメータの一部または全部である特定種別のパラメータが特定のＲＡＷ動画と一致するＲＡＷ動画であってもよい。
【００３２】
ステップＳ４０６の判定に用いる特定種別は、例えば、ユーザにより指定された種別である。図６は、特定種別を決定するためのダイアログ６００の一例を示す。ユーザは、ダイアログのチェックボックスにチェックを入れるユーザ操作により、特定種別を指定することができる。図６の例では、出力形式、出力解像度、色空間、ガンマ、及び、高速現像設定が、特定種別として指定されている。
【００３３】
なお、特定種別は、エクスポートのためのアプリケーションのメーカーなどによって予め定められていてもよいし、ＣＰＵ１０１（エクスポートのためのアプリケーション）によって自動で決定（変更）されてもよい。ステップＳ４０１で複数のＲＡＷ動画が選択された場合には、当該複数のＲＡＷ動画の間で共通して過去のエクスポートに用いられたパラメータが、特定種別のパラメータとして使用されてもよい。例えば、選択された複数のＲＡＷ動画の間で過去のエクスポートに用いられた色空間とガンマが一致しており、他のパラメータが一致していない場合には、色空間とガンマのみが所定種別のパラメータとして使用される。
【００３４】
図４の説明に戻る。ステップＳ４０７では、ＣＰＵ１０１は、ステップＳ４０６において検出されたＲＡＷ動画（存在すると判定されたＲＡＷ動画）についても再エクスポートを行うか否かをユーザに問い合わせる。具体的には、図５（Ｂ）に示すように、ＣＰＵ１０１は、ステップＳ４０６において検出されたＲＡＷ動画についても再エクスポートを行うか否かをユーザに問い合わせるためのダイアログ５００を、ディスプレイ１１０に表示する。ダイアログ５００では、ステップＳ４０６において検出されたＲＡＷ動画のリストなどが表示される。図５（Ｂ）の例では、ＲＡＷ動画ＬＬＬＬ，ＭＭＭＭ，ＮＮＮＮのリストが名称で表示されている。なお、ＲＡＷ動画の撮影設定、現像設定、サムネイル、等がさらに表示されてもよい。
【００３５】
ステップＳ４０８では、ＣＰＵ１０１は、ステップＳ４０７の問い合わせに対して、ユーザから再エクスポートの指示（応答）があったか否かを判定する。指示があった場合（図５（Ｂ）のダイアログ５００の「はい」ボタンが押下された場合）はステップＳ４０９へ進み、指示がなかった場合（図５（Ｂ）のダイアログで、「いいえ」ボタンが押下された場合）はステップＳ４１０へ進む。
【００３６】
ステップＳ４０９では、ＣＰＵ１０１は、ステップＳ４０１で選択したＲＡＷ動画と、ステップＳ４０６で検出したＲＡＷ動画とをエクスポートキューに追加する。そして、図
４の動作が終了する。図５（Ｃ）は、ステップＳ４０９の処理後のエクスポートキューウインドウ３００の一例を示す。図５（Ｃ）の例では、ＲＡＷ動画ＫＫＫＫ，ＬＬＬＬ，ＭＭＭＭ，ＮＮＮＮがエクスポートキューにある。パラメータは、再エクスポートのために設定された現在のパラメータであり、図５（Ａ）と異なっている。ステップＳ４０９の処理の後に、図２（Ａ）のエクスポート開始ボタン２５３が押下されると、ステップＳ４０１で選択したＲＡＷ動画と、ステップＳ４０６で検出したＲＡＷ動画とについて、エクスポートが一括で（順次）行われる。
【００３７】
ステップＳ４１０では、ＣＰＵ１０１は、ステップＳ４０１で選択したＲＡＷ動画のみをエクスポートキューに追加する。そして、図４の動作が終了する。
【００３８】
以上述べたように、実施例１によれば、選択されたＲＡＷ動画と、エクスポートに用いられたパラメータが当該選択されたＲＡＷ動画と一致するＲＡＷ動画とについて、再エクスポートを一括で行うことができる。これにより、複数のＲＡＷ動画について再エクスポートを効率よく行えるようになる。
【００３９】
＜実施例２＞
本発明の実施例２について説明する。実施例１では、ユーザによって指定された特定のＲＡＷ動画とは異なるＲＡＷ動画を検出して、それらについて再エクスポートを一括で行う例を説明した。しかし、エクスポートのパラメータを変更したいとユーザが考えるタイミングは、エクスポートの実行後だけではない。エクスポートの実行前にも、設定されたパラメータを変更したいとユーザが考えることがある。例えば、ＲＡＷ動画をエクスポートキューに追加した後、エクスポートの実行する前に、ユーザが、パラメータの誤りに気づき、パラメータの変更を指示することがある。実施例２では、エクスポートの実行前に、ユーザによって指定された特定のＲＡＷ動画とは異なるＲＡＷ動画を検出して、それらについてパラメータを一括で変更する例を説明する。なお、以下では、実施例１と異なる点（構成や処理）について詳しく説明し、実施例１と同じ点についての説明は省略する。
【００４０】
図７は、設定したパラメータをエクスポートの実行前に変更する場合のＰＣ１００（エクスポートのためのアプリケーション）の動作例を示すフローチャートである。図７の動作は、例えば、図３（Ａ）のエクスポートキューウインドウ３００の表示に応じて開始する。
【００４１】
ステップＳ７０１では、ＣＰＵ１０１は、特定のＲＡＷ動画に対して設定されたパラメータの変更がユーザによって指示されたか否かを判定する。ＣＰＵ１０１は、変更の指示（ユーザ操作）があるまでステップＳ７０１の処理を繰り返す。そして、変更の指示があると、当該指示に応じて特定のＲＡＷ動画を選択し、ステップＳ７０２へ処理を進める。
【００４２】
図８（Ａ）は、エクスポートキューウインドウ３００の一例を示す。図８（Ａ）に示すように、ＣＰＵ１０１は、エクスポート内容表示部３０１（エクスポートキューにあるＲＡＷ動画の一覧）から特定のＲＡＷ動画を指定するユーザ操作に応じて、コンテキストメニュー８１３を表示する。コンテキストメニュー８１３は、特定のＲＡＷ動画（ユーザによって指定されたＲＡＷ動画）に対して設定されたパラメータを変更するか否かをユーザに問い合わせるメニューである。パラメータを変更する指示は、コンテキストメニュー８１３の「エクスポート設定変更」を指定するユーザ操作である。ここでは、ＲＡＷ動画ＣＣＤＤに対して設定されたパラメータの変更が指示されたとする。
【００４３】
ステップＳ７０２では、ＣＰＵ１０１は、ステップＳ７０１で選択したＲＡＷ動画（パラメータを変更する指示（ユーザ操作）があったＲＡＷ動画）について、設定済みのパラメータ（変更前のパラメータ）を取得する。具体的には、ＣＰＵ１０１は、図８（Ａ）の
エクスポート内容表示部３０１においてＲＡＷ動画ＣＣＤＤに関連付けて表示されたパラメータ（保存先フォルダ、出力形式、出力解像度、及び、現像設定）を取得する。
【００４４】
ステップＳ７０３では、ＣＰＵ１０１は、変更後のパラメータを取得する。具体的には、図２（Ａ）の現像パラメータ設定部２４０と、図２（Ｂ）の保存先フォルダ設定部２６１、エクスポートファイル形式設定部２６２、及び、出力解像度設定部２６３とで指定中の複数のパラメータが取得される。すなわち、指定中の明るさ、色温度、シャープネス、色空間、ガンマ、高速現像設定、保存先フォルダ、出力形式、及び、出力解像度が取得される。
【００４５】
ステップＳ７０４では、ＣＰＵ１０１は、ステップＳ７０２で取得したパラメータと、ステップＳ７０３で取得したパラメータとを比較し、それらが互いに異なるか否かを判定する。具体的には、複数のパラメータの複数の種別に、ステップＳ７０２で取得されたパラメータとステップＳ７０３で取得されたパラメータとが互いに異なる種別が存在するか否かが判定される。存在する場合はステップＳ７０５へ進み、存在しない場合（ステップＳ７０２で取得された複数のパラメータが、ステップＳ７０３で取得された複数のパラメータと完全に一致する場合）はステップＳ７１１へ進む。
【００４６】
ステップＳ７１１では、ＣＰＵ１０１は、所定の通知を行う。具体的には、ＣＰＵ１０１は、変更前と変更後でパラメータが同一である旨のメッセージ（警告）をディスプレイ１１０に表示して、ユーザに通知する。そして、ＣＰＵ１０１は、パラメータを変更するための処理を行わずに、図７の動作を終了する。
【００４７】
ステップＳ７０５では、ＣＰＵ１０１は、図８（Ａ）のエクスポート内容表示部３０１（パラメータが設定済みのＲＡＷ動画の一覧）において、ステップＳ７０１で選択したＲＡＷ動画とは異なる他のＲＡＷ動画が存在するか否かを判定する。存在する場合はステップＳ７０６へ進み、存在しない場合はステップＳ７１０へ進む。
【００４８】
ステップＳ７０６では、ＣＰＵ１０１は、ステップ７０５において存在すると判定された全てのＲＡＷ動画について、設定済みのパラメータを取得する。そして、ＣＰＵ１０１は、ステップＳ７０５において存在すると判定され、且つ、設定済みのパラメータがステップＳ７０２で取得したパラメータと一致するＲＡＷ動画が存在するか否かを判定する。存在する場合はステップＳ７０７へ進み、存在しない場合はステップＳ７１０へ進む。
【００４９】
なお、ステップＳ７０６で検出されるＲＡＷ動画は、設定済みの複数のパラメータの全てが特定のＲＡＷ動画（ステップＳ７０１で選択したＲＡＷ動画）と一致するＲＡＷ動画であってもよいし、そうでなくてもよい。ステップＳ７０６で検出されるＲＡＷ動画は、設定済みの複数のパラメータの一部が特定のＲＡＷ動画と一致するＲＡＷ動画であってもよい。ステップＳ７０６で検出されるＲＡＷ動画は、設定済みの出力形式のみが特定のＲＡＷ動画と一致するＲＡＷ動画であってもよい。ステップＳ７０６で検出されるＲＡＷ動画は、設定済みの複数のパラメータの一部または全部である特定種別のパラメータが特定のＲＡＷ動画と一致するＲＡＷ動画であってもよい。実施例１で述べたように、特定種別（特定種別のパラメータ）は、予め定められていてもよいし、種々の方法で決定されてもよい。
【００５０】
ステップＳ７０７では、ＣＰＵ１０１は、ステップＳ７０６において検出されたＲＡＷ動画（存在すると判定されたＲＡＷ動画）に対して設定されたパラメータも変更するか否かをユーザに問い合わせる。具体的には、図８（Ｂ）に示すように、ＣＰＵ１０１は、ステップＳ７０６において検出されたＲＡＷ動画に対して設定されたパラメータも変更するか否かをユーザに問い合わせるためのダイアログ８００を、ディスプレイ１１０に表示す
る。ダイアログ８００では、ステップＳ７０６において検出されたＲＡＷ動画のリストなどが表示される。図８（Ｂ）の例では、ＲＡＷ動画ＡＡＢＢ，ＥＥＦＦのリストが名称で表示されている。なお、ＲＡＷ動画の撮影設定、現像設定、サムネイル、等がさらに表示されてもよい。
【００５１】
ステップＳ７０８では、ＣＰＵ１０１は、ステップＳ７０７の問い合わせに対して、ユーザからパラメータの変更の指示（応答）があったか否かを判定する。指示があった場合（図８（Ｂ）のダイアログ８００の「はい」ボタンが押下された場合）はステップＳ７０９へ進み、指示がなかった場合（図８（Ｂ）のダイアログで、「いいえ」ボタンが押下された場合）はステップＳ７１０へ進む。
【００５２】
ステップＳ７０９では、ＣＰＵ１０１は、ステップＳ７０１で選択したＲＡＷ動画と、ステップＳ７０６で検出したＲＡＷ動画とについて、設定されたパラメータを一括で変更する。そして、図７の動作が終了する。図８（Ｃ）は、ステップＳ７０９の処理後のエクスポートキューウインドウ３００の一例を示す。図８（Ｃ）の例では、ＲＡＷ動画ＡＡＢＢ，ＣＣＤＤ，ＥＥＦＦに対して設定されたパラメータが図８（Ａ）から変更されている。
【００５３】
ステップＳ７１０では、ＣＰＵ１０１は、ステップＳ７０１で選択したＲＡＷ動画に対して設定されたパラメータのみを変更する。そして、図７の動作が終了する。
【００５４】
以上述べたように、実施例２によれば、選択されたＲＡＷ動画と、設定済みのパラメータが当該選択されたＲＡＷ動画と一致するＲＡＷ動画とについて、設定されたパラメータを一括で変更することができる。これにより、複数のＲＡＷ動画についてパラメータの変更を効率よく行えるようになる。
【００５５】
以上、本発明の好ましい実施例について説明したが、本発明はこれらの実施例に限定されず、その要旨の範囲内で種々の変形及び変更が可能である。
【００５６】
＜その他の実施例＞
本発明は、上述の実施例の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００５７】
１００：ＰＣ  １０１：ＣＰＵ  １０８：画像処理部  １０９：表示制御部
【図１】
2020178214.tif 000003
【図２】
2020178214.tif 000004
【図３】
2020178214.tif 000005
【図４】
2020178214.tif 000006
【図５】
2020178214.tif 000007
【図６】
2020178214.tif 000008
【図７】
2020178214.tif 000009
【図８】
2020178214.tif 000010